(57)【特許請求の範囲】
【請求項１】
再生可能な資源を起源とする供給原料を水素化処理して、パラフィン系炭化水素を製造するための方法であり、水素化処理工程ｃ）を、理論的水素消費量を超過する水素の存在下、および水素化処理条件下に、直列に配置されかつ水素化処理触媒を含む複数の触媒帯域を有する固定床反応器において行う、方法であって、
ａ）  全供給原料流Ｆ０を、分離工程ｄ）からのパラフィン系炭化水素を含有する液体フラクションＲの少なくとも一部によって構成された流れＲＰＰと混合し、前記混合物を、１３０〜３２０℃の温度まで加熱し；
ｂ）  前記混合物を、前処理帯域中に導入し、前処理帯域において、前記混合物の流れは、固定床と称される粒子床によって構成される多孔性媒体を介して起こり、前記固定床は、０．２５〜０．８の空隙率を有し；
ｃ）  前処理帯域からの流出物（Ｆ＋εＲＰＰ；εは０〜１である）を、反応器中の触媒帯域の数ｎに等しい、少なくとも所定数の異なる部分流（Ｆ１＋ε１ＲＰＰ）〜（Ｆｎ＋εｎＲＰＰ）に分け、第１の部分流（Ｆ１＋ε１ＲＰＰ）を、第１の触媒帯域に注入し、第２の部分流（Ｆ２＋ε２ＲＰＰ）を、第２の触媒帯域に注入し、ｎが２超である場合、以下同様に注入し、εｉの合計はεに等しく；
種々の部分流を、増加する割合で、Ｆ１／ＦはＦ２／Ｆ以下であり、Ｆ２／ＦはＦ３／Ｆ以下であり、以下同様にＦ（ｎ−１）／ＦがＦｎ／Ｆ以下であるようにして、連続する触媒帯域に注入し、パラフィン系炭化水素を含有する流出物を生じさせ；
ｄ）  パラフィン系炭化水素を含有する前記流出物を、少なくとも１回の分離工程に付し、少なくとも１つのガスフラクションと、パラフィン系炭化水素を含有する少なくとも１つの液体フラクションの分離を可能とし；
ｅ）  工程ｂ）からのパラフィン系炭化水素を含有する前記液体フラクションの少なくとも一部Ｒを、少なくとも１つの流れＲＬＣと、上流の工程ａ）で全供給原料流Ｆ０と混合される前記再循環流ＲＰＰとに分け、前記流れＲＬＣを、反応器中の触媒帯域の数ｎ以下の、少なくとも所定数の異なる部分流Ｒ１−Ｒｎに分け、前記流れＲ１−Ｒｎを、触媒帯域１−ｎの上流に再循環させ、第１の触媒帯域に送られるパラフィン系炭化水素の流れ（Ｒ１＋ε１ＲＰＰ）と、第１の触媒帯域に導入される供給原料の部分流Ｆ１との間の重量比を１０以上であるようにする、
ことを特徴とする、方法。
【請求項２】
再生可能な資源を起源とする前記供給原料は、トリグリセリドおよび／または遊離脂肪酸および／またはエステルを含有する、植物または動物起源の油脂、またはそのような供給原料の混合物から選択される、請求項１に記載の方法。
【請求項３】
前記工程ａ）に導入される流れＲＰＰの、全新鮮供給原料Ｆ０の流れに対する割合は、質量流の比ＲＰＰ／Ｆ０が０．１〜５であるようにされる、請求項１または２に記載の方法。
【請求項４】
質量流の比ＲＰＰ／Ｆ０は、０．５〜３である、請求項３に記載の方法。
【請求項５】
床を構成する前記粒子は、比表面積が０．５〜３２０ｍ２／ｇである材料によって構成される、請求項１〜３のいずれか１つに記載の方法。
【請求項６】
床の粒子を構成する前記材料は、多孔性耐火性酸化物、酸化物セラミックス、非酸化物セラミックス、または複合材料セラミックス、あるいは、炭化ケイ素、活性炭、アルミン酸カルシウム、金属、およびグラファイトのような材料の中から選択される、請求項５に記載の方法。
【請求項７】
前記材料は、多孔性耐火性酸化物の中から選択され、有利には、アルミナ、シリカ、活性アルミナ、シリカ−アルミナ、金属酸化物、および非金属酸化物の中から選択される、請求項６に記載の方法。
【請求項８】
前処理帯域からの流出物（Ｆ＋εＲＰＰ）を、分離帯域に導入して、パラフィンリッチな流出物（１−ε）ＲＰＰを分離する、請求項１〜７のいずれか１つに記載の方法。
【請求項９】
全再循環率（ＲＴ）は、１．０未満である、請求項１〜８のいずれか１つに記載の方法。
【請求項１０】
前記工程ａ）に導入される流れＲＰＰの、全再循環流Ｒに対する割合は、質量流の比ＲＰＰ／Ｒが、０．１〜０．９であるようにされる、請求項１〜９のいずれか１つに記載の方法。
【請求項１１】
再生可能な資源を起源とする前記供給原料を、ガスオイル、ケロセン、および油精製方法からのガソリンの中から選択されるオイルカットとの混合物で処理する、請求項１〜１０のいずれか１つに記載の方法。
【請求項１２】
分離工程ｄ）からのパラフィン系炭化水素を含有し、かつ、再循環させられない液体フラクションの少なくとも一部を、水素化異性化触媒の存在下で水素化異性化させる、請求項１〜１１のいずれか１つに記載の方法。
【発明の詳細な説明】
【技術分野】
【０００１】
本発明は、植物または動物起源の油脂のような再生可能な資源からの供給原料の水素化処理による、燃料として用いられ得るパラフィン系炭化水素の製造方法に関する。特に、本発明は、再生可能な資源からの供給原料の水素化処理による、パラフィン系炭化水素の製造方法であって、前記供給原料中に含まれる無機不純物の除去を可能にする、徹底的な前処理工程が、固定床水素化処理触媒帯域の上流に組み入れられる、方法に関する。
【０００２】
現在の国際的状況は、主に、燃料、特に、ガスオイルおよびケロセンベースの燃料の必要性が急成長していることによって、また、地球温暖化、および温室効果ガスの排出に関連する問題の規模によっても特徴付けられる。その結果、化石起源の原材料にエネルギー依存することを低減させること、およびＣＯ２の排出量を低減させることが望まれている。これらのことに関連して、再生可能な資源からの新たな供給原料の模索が、ますます重要な大きな課題となっている。このような供給原料の例として、（食物または非食物の品質の）植物油、または藻からの油および動物脂肪が含まれる。
【０００３】
このような供給原料は、主に、トリグリセリドと遊離脂肪酸とからなり、そのような分子は、脂肪酸の炭化水素鎖を含み、この炭化水素鎖の炭素原子数は４〜２４であり、かつ、不飽和結合数は一般的には０〜３であり、例えば藻由来の油であればよりレベルは高い。
【０００４】
トリグリセリドの分子量が非常に高く（＞６００ｇ／モル）かつ関連する供給原料の粘度が高いことは、これらを直接的に若しくは燃料ベース中の混合物で使用すれば、近代的なエンジンに対して困難性が示されることを意味する。しかし、トリグリセリドを構成する炭化水素鎖は、実質上線状であり、それらの長さ（炭素原子の数）は、燃料ベース中に存在する炭化水素に適合可能である。
【０００５】
したがって、高品質の、特に、直接的にまたは原油からの他のフラクションと混合した後に規格に合う燃料ベース（ディーゼルおよびケロセンを含む）を得るようにそのような供給原料を転化させることが必要である。ディーゼルは、規格EN590を満たさなければならず、ケロセンは、国際航空運送協会（International Air Transport Association）（ＩＡＴＡ）のASTM D1655に基づくAviation Turbine Fuel SpecificationsについてのGuidance Materialに記載された要件を満たさなければならない。
【０００６】
可能性のあるアプローチの１つは、水素の存在下での、トリグリセリドの脱酸素パラフィン系燃料への接触転化である（水素化処理）。
【０００７】
水素化処理の間に、トリグリセリドを含有する供給原料が経る反応は、以下の通りである：
・  トリグリセリドおよびエステルの脂肪酸の炭化水素鎖の不飽和結合の水素化反応；
・  以下の２つの反応経路を経由する脱酸素反応：
−  水素化脱酸素（hydrodeoxygenation：ＨＤＯ）：水素の消費による水の形成、および初期の脂肪酸鎖の炭素数に等しい炭素数（Ｃｎ）を有する炭化水素の形成に至る、；
−  脱炭酸／脱カルボニル：炭素酸化物（一酸化炭素および二酸化炭素：ＣＯおよびＣＯ２）の形成、および初期の脂肪酸鎖より１つ少ない炭素（Ｃｎ−１）を含有する炭化水素の形成に至る；
・  水素化脱窒（hydrodenitrogenation：ＨＤＮ）反応；この用語は、ＮＨ３の生成を伴って供給原料からの窒素の除去を可能にする反応を示すように用いられる。
【０００８】
炭化水素鎖の不飽和結合（炭素−炭素二重結合）の水素化は、非常に発熱性が高く、熱の放出によってもたらされる温度の上昇は、脱炭酸反応の寄与が重要となる温度レベルに至り得る。脱炭酸反応を含む水素化脱酸素反応も発熱性の反応である。水素化脱酸素は、一般的に、脱炭酸／脱カルボニルよりもより低い温度において有利とされる。水素化脱窒反応はより困難であり、水素化および水素化脱酸素より、より高い温度を必要とする。水素化脱窒が一般的に必要であるのは、窒素化合物が一般的に、水素化処理の後に場合により用いられる水素化異性化触媒の阻害物質であるからである。水素化異性化により、特にケロセンの製造が想定される場合、水素化処理の後の燃料ベースの冷温状態での特性の向上が可能となる。
【０００９】
その結果、水素化処理セクションにおける厳密な温度制御が必要である。なぜなら、過剰の温度によって、不所望の二次反応、例えば、重合、分解、コークスの堆積、および触媒の失活等に有利に働くという不利な点がもたらされるからである。
【００１０】
更に、再生可能な資源からのこのような供給原料は、著しい量の不純物も含有する。これらの不純物は、少なくとも１種の無機元素を含有し得る。少なくとも１種の無機元素を含有する前記不純物は、本質的に、リンを含有する化合物、例えば、リン脂質を含み、これは、乳化する界面活性剤であり、精製操作を妨げ、グリセリド性化合物の族に属する。少なくとも１種の無機元素を含有する前記不純物はまた、アルカリ土類元素、例えば、ホスファチジン酸の塩あるいはまた金属、アルカリ金属、クロロフィル、または、種々の形態の遷移元素等を含み得る。
【００１１】
複合性かつ極性のリン脂質は、２つの脂肪酸を含む１つの親油性かつ無極性の「頭部」と、リン酸と可変種の基（アミノ−アルコール、ポリオール等）とのペアリングをベースとする１つの親水性かつ極性の「頭部」を有する両親媒性分子である。これらの不純物はまた、有機性であり得る。前記有機不純物は、窒素、例えば、スフィンゴ脂質および種々の非キレートクロロフィルを実質的に含む。
【００１２】
実際、前記供給原料中に含まれる、少なくとも１種の無機元素を含有する前記不純物は、水素化処理条件下で油に混和性である。トリグリセリドおよび／または脂肪酸のパラフィン系炭化水素への転化の間に、前記不純物は分解し、次いで、それらの無機残渣は結合して非混和性の塩を形成する。該塩は、例えば、ＣａｘＭｇｙ（ＰＯ４）ｚタイプのカルシウムおよび／またはマグネシウムの混合型リン酸塩の形態で沈殿し、これは、反応媒体中に不溶性である。これらの塩の沈殿は、触媒床中に無機固体の蓄積を引き起こし、その結果、反応器中の圧力損失の増加、触媒床の閉塞、および細孔の閉塞による水素化処理触媒の失活が引き起こされる。サイクルタイムは、これらの不純物の存在によって低減させられる。
【００１３】
更に、前記供給原料中に存在する、有機窒素不純物、および少なくとも１種の無機元素を含有する窒素不純物は、水素化処理工程の間に完全には除去されない。その結果、下流の任意の水素化異性化工程の性能は低下する。
【００１４】
本発明の目的は、これらの不利な点に対応することである。
【００１５】
本発明の目的の１つは、再生可能な供給原料のための水素化処理方法であって、水の形成によって水素化脱酸素反応を主に促進することを可能にしながら、同時に： 
−  この同じ方法による、任意の水素化異性化セクションの触媒活性を保持するのに必要な水素化脱窒の効率的な性能；および
−  水素化処理触媒を含有する触媒床（単数または複数）の閉塞、前記触媒の失活、およびそれ故の触媒床（単数または複数）における無機固体の蓄積に関連する圧力損失を、前記触媒床の上流での、前記供給原料中に存在する無機不純物の除去を可能にする特定の前処理工程の使用を通じて制限すること；
を可能とする、方法を提供することである。
【００１６】
本発明の別の目的は、再生可能な供給原料の水素化処理方法であって、水素化脱酸素反応を主に促進し、それ故に、水素化脱酸素収率を最大にすることを可能にし、同時に、不溶性ケーキング種の除去を通じて接触水素化処理システムの耐用期間を増大させる、方法を提供することである。
【背景技術】
【００１７】
従来技術からの数多くの文献には、水素化処理の上流で任意の前処理工程を用いた、再生可能な供給原料の水素化処理方法が提案されている。
【００１８】
特許文献１には、再生可能な出発材料、例えば、植物および動物起源の油脂を起源とする燃料、特に、ガスオイルを製造するための方法が記載されている。この方法は、再生可能な出発材料の第１の部分を、第１の反応帯域における水素化および脱酸素によって、再生可能な出発材料の第２の部分を、第２の反応帯域における水素化および脱酸素によって、処理することからなる。得られたパラフィン系炭化水素生成物の一部は、第１の反応帯域に再循環させられて、これにより反応混合物の水素溶解性が増大させられ、その際、再生可能な出発材料の第１の部分に対する再循環の体積比２〜８（重量比１．７〜６．９）が用いられる。液相中の水素の量が最大化させられるという事実は、触媒の失活の程度が低減させられ得ることを意味し、このことは、圧力が低減させられ得、脱炭酸／脱カルボニル反応が促進され得、水素化脱酸素反応が低減させられ得、従って、水素消費量が低減させられることを意味する。出発材料およびパラフィン系流出物中の窒素の量に関する情報は、なんら与えられていない。再生可能な出発材料に由来する供給原料は、有利には、汚染物質、例えば前記供給原料中に存在するアルカリ金属を除去するために前処理工程を経ることがあり得る。前処理工程は、樹脂上のイオン交換、酸洗浄、脱金属触媒を有するまたは有しない保護床の使用、または溶媒抽出およびろ過からなり得る。
【００１９】
特許文献２には、トリグリセリドを含有する再生可能な資源を起源とする供給原料を、直列に配置されかつ水素化触媒を含む複数の触媒床を含む固定床反応器システムにおいて連続的に水素化させる方法であって、より少ない再循環を用い、その結果として、既存装置の転換が制限される、方法が提案されている。供給原料は、段階的注入によって導入され、その結果、種々の触媒床は、流れの方向においてますます多くの供給原料を受け取る。再循環液体は、第１の触媒帯域の上流のみに加えられる。このように、反応器に再循環させられる生成物の量を制限することは、反応器中の全流量、および従って反応器の下流の液圧負荷（hydraulic load）が制限され得ることを意味する。新鮮な供給原料のための全再循環の好ましい範囲は、重量で１未満、好ましくは０．５未満である。各触媒床に入る新鮮な供給原料に対する希釈剤の比は、重量で４以下である。各床における入口温度は、すべて同一である。
【００２０】
特許文献２では、触媒床の入口温度を制御することによって、脱炭酸反応により酸素を除去するのではなく、酸素を除去しかつ水を形成することによって水素化脱酸素の経路を促進させている。特許文献２には、前記供給原料中に無機汚染物質が存在するという問題についての記載はない。
【００２１】
特許文献３には、トリグリセリドを、単独でまたは炭化水素化供給原料、例えば、中間留分供給原料、特に、ガスオイル供給原料との混合物で含有する供給原料の処理のための方法が記載されている。この処理方法は、前記供給原料の熱的前処理からなり、この熱的前処理は４０〜５４０℃の温度で、場合により、例えば、水素、窒素、ヘリウム、一酸化炭素、および二酸化炭素等のガスの存在下で行われ、次いで、水素化処理が行われ、これにより、ガスオイルタイプの燃料が製造される。
【００２２】
本出願人は、再生可能な出発材料中の窒素の量が、材料の起源に応じて、大幅に変わり得ることを観測した。特に、窒素含有量は、一般的に、植物油中より動物脂肪中でより多い。更に、水素化処理反応器の種々の触媒帯域内の温度を、可能な限り低いレベルに調節して、水の形成に至る水素化脱酸素反応を促進することにより、水素化処理後に生じるパラフィン系燃料中に低い窒素含有量レベルを得る際に困難が引き起こされ得る。従って、水素化脱窒反応（ＨＤＮ）は、水素化脱硫反応（hydrodesulphurization：ＨＤＳ）または水素化脱酸素反応（ＨＤＯ）より実施するのが困難であり、その結果、同一レベルに達するためにより高い温度を必要とすることは、周知である。水素化処理方法によって生じさせられるパラフィン系燃料中の窒素化合物のレベルが高すぎると、任意の下流の水素化異性化の性能がより乏しくなる。向上した冷温流特性（cold flow property）を有するディーゼルを製造するおよび／または凝固点の規格を満たすケロセンを製造するためには、水素化異性化（hydroisomerization：ＨＩＳ）が有利であり得る。この効果を補うために、従って、ＨＩＳセクションの過酷度（severity）を増大させることが必要となり、その結果、ディーゼル燃料およびケロセンのような高価値生成物の収率が低下し、サイクルが低減し、その結果、操作コストが増大するに至るであろう。
【００２３】
従って、本出願人は、水素化処理触媒を含む触媒床（単数または複数）の上流で、前記水素化処理触媒の耐用期間が増大するように、この供給原料の徹底的な前処理工程を実施し、これにより、水素化処理条件下に不溶性であり、前記供給原料中に存在する、無機汚染物質の除去が可能となった。この前処理工程により、特定の窒素化合物の吸着によって、前記供給原料中に存在する窒素化合物の補強された除去も可能となる。
【先行技術文献】
【特許文献】
【００２４】
【特許文献１】米国特許出願公開第２００９／０３１８７３７号明細書
【特許文献２】欧州特許出願公開第２２２６３７５号明細書
【特許文献３】米国特許出願公開第２００９／０２６６７４３号明細書
【発明の概要】
【発明が解決しようとする課題】
【００２５】
（発明の目的）
従って、本発明の目的は、増加する割合での供給原料の導入、および第１の帯域における高い再循環、ならびに再循環の一部を用いる特定の前処理工程の実施の組合せを通して、再生可能な供給原料を水素化処理すると同時に：
−  水素化処理条件下に不溶性であり、前記供給原料中に存在する、無機不純物の除去を可能とすること；
−  水の形成により水素化脱酸素反応を主に促進すること；
−  この同じ方法によって、任意の水素化異性化セクションの触媒活性を保持するのに必要な水素化脱窒を効果的に行うこと；
−  窒素化合物の除去を補強すること；および
−  接触水素化処理系の耐用期間を向上させること
を可能とする、方法を提案することである。
【課題を解決するための手段】
【００２６】
従って、本発明は、再生可能な資源を起源とする供給原料を水素化処理して、パラフィン系炭化水素を製造する方法であり、水素化処理工程ｃ）は、理論的水素消費量を超過する水素の存在下、および水素化処理条件下に、直列に配置されかつ水素化処理触媒を含む複数の触媒帯域を有する固定床反応器において行われる、方法であって：
ａ）  全供給原料流Ｆ０を、分離工程ｄ）からのパラフィン系炭化水素を含有する液体フラクションＲの少なくとも一部を含む流れＲＰＰと混合し、前記混合物を、１３０〜３２０℃の温度に加熱し；
ｂ）  前記混合物を、前処理帯域中に導入し、該前処理帯域において、前記混合物の流れが、固体床と称される粒子床からなる多孔性媒体を介して起こり、前記固体床は、０．２５〜０．８の空隙率を有し； 
ｃ）  前処理帯域からの流出物（Ｆ＋εＲＰＰ）（εは０〜１である）を、反応器中の触媒帯域の数ｎに等しい、少なくとも所定数の異なる部分流（Ｆ１＋ε１ＲＰＰ）〜（Ｆｎ＋εｎＲＰＰ）に分け、第１の部分流（Ｆ１＋ε１ＲＰＰ）を、第１の触媒帯域に注入し、第２の部分流（Ｆ２＋ε２ＲＰＰ）を、第２の触媒帯域に注入し、ｎが２超である場合、以下同様の注入を行い、εｉの合計はεに等しく；
種々の部分流を、増加する割合で、Ｆ１／ＦはＦ２／Ｆ以下であり、Ｆ２／ＦはＦ３／Ｆ以下であり、Ｆ（ｎ−１）／ＦがＦｎ／Ｆ以下となるまで以下同様であるようにされて連続する触媒帯域に注入し、これによりパラフィン系炭化水素を含有する流出物が生じ；
ｄ）  パラフィン系炭化水素を含有する前記流出物を、少なくとも１回の分離工程に付し、該分離工程は、少なくとも１つのガスフラクションと、パラフィン系炭化水素を含有する少なくとも１つの液体フラクションの分離を可能とし；
ｅ）  工程ｂ）からのパラフィン系炭化水素を含有する前記液体フラクションの少なくとも一部Ｒを、少なくとも１つの流れＲＬＣと、上流の工程ａ）で全供給原料流Ｆ０と混合される前記再循環流ＲＰＰとに分け、前記流れＲＬＣを、反応器中の触媒帯域の数ｎ以下の、少なくとも所定数の異なる部分流Ｒ１−Ｒｎに分け、前記流れＲ１−Ｒｎを、触媒帯域１−ｎの上流に再循環させ、第１の触媒帯域に送られるパラフィン系炭化水素流（Ｒ１＋ε１ＲＰＰ）と、第１の触媒帯域に導入される供給原料の部分流Ｆ１との間の重量比が１０以上であるようにされる、
ことを特徴とする方法に関する。
【発明の効果】
【００２７】
本発明の利点は、下流の第２の（水素化脱窒）反応器への償還（recourse）を有することなく、同一の触媒帯域で、水素化脱窒および水素化脱酸素を行うために本発明が用いられ得ることである。実際、第１の帯域への大量の再循環と結び付けられて、増加する割合で供給原料を導入することは、上昇する温度プロファイルによって、十分に高温の帯域が触媒帯域の終わりで得られ得、これにより触媒帯域への入口において水素化脱酸素反応を促進するのに十分に低い温度を維持しながら水素化脱窒が可能となることを意味する。更に、水素化処理触媒を含有する触媒床（単数または複数）を用いる上流で採用される前処理工程により、不純物、特に、特定の窒素化合物、例えば、ホスファチジルコリン、ホスファチジルエタノールアミン、およびホスファチジルセリンタイプのアミノ−アルコール、ならびにスフィンゴ脂質およびクロロフィルの除去によって、前記供給原料中に存在する窒素化合物の補強された除去も可能となる。
【００２８】
本発明の別の利点は、本発明が、前記触媒の失活と、触媒床（単数または複数）中の無機固体の蓄積と関連する圧力損失、および、それ故の水素化処理触媒を含む触媒床の閉塞を前記触媒床（単数または複数）の上流での採用により制限することであり、前記特定の前処理工程は、沈殿／結晶化および／または高温吸着によって、前記供給原料中に存在する無機汚染物質の除去を可能とする。
【００２９】
本発明の更なる利点は、温度を制御し、各触媒帯域への入口において温度を水素化脱酸素に適応させるように維持することにより、脱炭酸反応によって酸素を除去するのではなく酸素を除去しかつ水を形成することによって水素化脱酸素経路を促進することにある。この解決策の利点は、パラフィン系炭化水素の収率が増加することと、形成されるＣＯ／ＣＯ２の量が低減することであり、これは、水素化処理触媒の活性に対するＣＯの阻害効果が制限され得ることを意味する。水素化脱酸素経路を促進することは、反応器中にＣＯ２が存在することによる腐食が低減させられ得ることも意味する。
【００３０】
本発明の更なる利点は、反応器に再循環させられる生成物の量が制限されることであり、このことにより、反応器中の全流、および従って、反応器の下流の液圧供給原料が制限されることとなる。
【発明を実施するための形態】
【００３１】
（説明）
本発明の方法は、トリグリセリドおよび脂肪酸から実質的に構成される、再生可能な起源の幅広い範囲の供給原料を、パラフィン系炭化水素、より正確には中間留分（ケロセンおよび／またはガスオイル）に転化させることにある。これらの供給原料は、一般的に、高いモル質量（通常８００ｇ／モル超）によって特徴付けられる；それらが構成される脂肪酸の鎖は、４〜２４個の炭素原子、一般的には鎖当たり０〜３個の不飽和結合を含み、より高い値が、場合によっては、所定の特定の供給原料について得られる。本発明の方法によって転化させられてもよい供給原料の包括的でない例として以下のものが列挙されてもよい：植物油、例えば、ナタネ、ジャトロファ、大豆、パーム核、ヒマワリ、オリーブ、コプラ、カメリナの油、魚油、あるいは、従属栄養性または独立栄養性の藻類油または動物脂肪、例えば、ビーフスエット（beef suet）、あるいは、製紙産業からの残留物（例えば、トール油）あるいは、これらの種々の供給原料の混合物。
【００３２】
好ましくは、再生可能な資源に由来する供給原料は、トリグリセリドおよび／または遊離脂肪酸および／またはエステルを含有する、植物または動物起源の油脂、またはそのような供給原料の混合物から選択される。
【００３３】
これらの供給原料は全て、酸素含有量が高く、また、供給原料の起源に応じて大きく変わり得る量で著しい量の不純物を有し、該不純物は、少なくとも１種の無機元素を含有してもよく、有機不純物は、上記したように基本的に窒素を含有する。前記供給原料の無機化合物の含有量は、一般的に０．１〜２５００ｐｐｍであり得る。窒素および硫黄の量は、それらの性質に応じて、一般的に約１〜１００重量ｐｐｍの範囲、好ましくは１００重量ｐｐｍ未満である。特定の供給原料の場合、それらは１重量％にまで達してもよい。
【００３４】
本発明による方法において用いられる再生可能な資源からの供給原料は、有利には未精製の形態であり得るか、あるいは、当業者に公知の食用油のための精製工程、例えば、脱ガムまたは脱リン酸を経たものでもよい。少なくとも前記精製工程を経た前記供給原料は、半精製のものと称され、この処理の終了時に、依然として、２０ｐｐｍ以下のリン、カルシウム、マグネシウム、鉄および／または亜鉛を、リン脂質の形態で含有する。
【００３５】
以下、理解を促進するために、図面を参照しながら、本発明を説明することする；図面は、本発明の一般的な性質を制限するものではない。
【００３６】
（前処理）
未精製の状態の、あるいは場合により少なくとも１回の精製工程を経た供給原料（全新鮮供給原料Ｆ０とも称される）は、図１に示されるライン（０）に注入される。
【００３７】
本発明による方法の工程ａ）によると、全新鮮供給原料Ｆ０の流れは、分離工程ｄ）からのパラフィン系炭化水素を含有する再循環液体フラクションＲの少なくとも一部によって構成される流れＲＰＰと混合される。
【００３８】
実際、本発明によると、本発明による処理方法によって生じたパラフィン系炭化水素を含有し、かつ、分離工程ｄ）に由来する、液体フラクションの少なくとも一部Ｒは、再循環させられ、少なくとも１つの流れＲＬＣと流れＲＰＰとに分けられ、流れＲＬＣは、本発明による方法の工程ｅ）による触媒帯域の上流に再循環させられ、流れＲＰＰは、パラフィン系炭化水素を含有する液体フラクションＲの少なくとも一部によって構成され、前処理帯域の上流に再循環させられる。
【００３９】
全新鮮供給原料Ｆ０の流れは、好ましくは、デバイス内で前記流れＲＰＰと混合され、これにより、２つの流れを接触させることが可能となり、これらの流れの均質な混合が可能となる。
【００４０】
本発明によると、全新鮮供給原料Ｆ０および前記流れＲＰＰの混合物は、１３０〜３２０℃、好ましくは１６０〜２５０℃、最も好ましくは１６０〜２２０℃の温度に加熱される。前記混合物は、有利には、ＲＰＰ流からの熱の寄与によって加熱され得る。ＲＰＰ流によって寄与される熱が不十分である場合、前記混合物は、有利には、当業者に公知のいずれかの手段、例えば、熱交換器を通過させることまたはオーブンによって加熱される。
【００４１】
本発明による方法の工程ａ）に導入される流れＲＰＰの、全新鮮供給原料流Ｆ０に対する割合は、質量流の比ＲＰＰ／Ｆ０が、有利には０．１〜５、好ましくは０．５〜３、最も好ましくは１〜３であるようにされる。
【００４２】
本発明による方法の工程ｂ）によると、前記混合物は、ライン（１）を介して、図示された前処理帯域Ｆ−０１に導入され、該帯域において、混合物の流れが、固定床と称される粒子の床からなる多孔性媒体を通じて起こり、前記固定床は、０．２５〜０．８の空隙率を有する。
【００４３】
床を構成する粒子は、好ましくは、比表面積が０．５〜３２０ｍ２／ｇである材料を含む。
【００４４】
床の粒子を構成する材料は、好ましくは、多孔性耐火性酸化物の中から選択され、有利には、アルミナ、シリカ、活性アルミナ、シリカ−アルミナ、金属酸化物、および非金属酸化物の中から選択される。前記材料は、有利には、酸化物セラミックス、非酸化物セラミックス、または複合材料セラミックス、あるいは、炭化ケイ素、活性炭、アルミン酸カルシウム、金属、およびグラファイトのような材料の中からも選択され得る。非常に好ましい方法において、前記材料は、多孔性耐火性酸化物の中から選択される。
【００４５】
更により好ましい方法において、前記混合物は、前処理帯域に導入され、該帯域において、混合物は、第６族および第８〜１２族から選択される触媒金属を含まない多孔性耐火性酸化物の粒子の少なくとも１つの固定床を通過する。
【００４６】
本発明による前処理帯域において用いられる固定床の前記粒子は、有利には成形され得、好ましくは球状粒子、または長楕円状、円筒状（中空または中実）、ねじられた円筒状、例えば葉の数が２〜５である多葉状、あるいは環状押出物の形態である。前記粒子は、好ましくは、球状または押出物状の粒子の形態であり、０．５〜２０ｍｍ、好ましくは０．５〜１０ｍｍの径を有する。
【００４７】
固定床の前記粒子は、それらの空隙率を増大させるために、有利には、より明確な幾何学的形態を有し得る。固定床の前記粒子はまた、有利には以下の形態を有し得る：中空円筒物、中空環状物、ラシヒリング、のこぎり歯状中空円筒物、銃眼状（Crenelated）中空円筒物、車輪状物、ブレンドサドル（Blend saddle）状物、または多数孔付円筒物。
【００４８】
それらの外径は、有利には１〜３５ｍｍの間で変動する。
【００４９】
固定床の前記粒子は、有利には、単独でまたは混合物で用いられ得る。
【００５０】
異なる高さの少なくとも２つの異なる固定床中に異なる材料を積層することは特に有利である。異なる形態の粒子を積層することも特に有利であり、最も高い空隙率を有する固定床を形成する粒子は、好ましくは、第１の固定床（単数または複数）における前処理帯域への入口において用いられる。
【００５１】
前記材料が多孔性耐火性酸化物である場合、好ましい多孔性耐火性酸化物は、マクロ多孔度を有する。
【００５２】
前記多孔性耐火性酸化物は、好ましくは、水銀圧入によって測定されるマクロ孔容積、すなわち、平均径が５００Å超である細孔の容積０．１ｍＬ／ｇ、好ましくは０．１２５〜０．４ｍＬ／ｇを有する。前記多孔性耐火性酸化物の全細孔容積はまた、有利には０．６０ｍＬ／ｇ超、好ましくは０．６２５〜１．５ｍＬ／ｇであり、ＳＢＥＴで表される比表面積は、有利には３０〜３２０ｍ２／ｇである。
【００５３】
未精製の若しくは半精製の供給原料の前記前処理工程の間に、温度の観点で良好な条件下での全新鮮供給原料Ｆ０の流れと前記流れＲＰＰとの混合物の加熱に続いて、少なくとも１種の無機元素を含有する不純物の分解が留意され、次いで、それらの無機残渣が再結合して非混和性の塩が形成され、この塩は、沈殿し、反応媒体に不溶性である。この沈殿が促進されるのは、極性の性質の不純物は、油単独の中よりも、ＲＰＰパラフィンが加えられた供給原料／油混合物中においてより混和しにくいからである。オイルリッチな相とパラフィンリッチな相との間の界面において濃縮され、前処理工程の多孔性媒体と接触し、好ましくは、大きい接触面積を有する固体からなるので、無機不純物は、これらの表面に沈殿する。反応媒体に非混和性であるこの固体沈殿物は、多孔性媒体上に堆積する。この多孔性媒体は、再度、保護床と称され、前記保護床は、求められる熱結晶化および／または沈殿反応の最小限の活性化温度で用いられるという特徴を有する。
【００５４】
水素化処理触媒を含む触媒床（単数または複数）の上流で行われる前記前処理工程により、従って、供給原料中に存在する無機不純物の除去が可能となる。
【００５５】
更に、前記前処理工程によって、前記供給原料中に存在する窒素化合物、特に、有機窒素不純物および少なくとも１種の無機元素を含有する窒素不純物、例えば、ホスファチジルコリン、ホスファチジルエタノールアミン、またはホスファチジルセリンタイプのアミノ−アルコール、ならびにスフィンゴ脂質およびクロロフィルの除去の補強も可能となる。
【００５６】
実際、前処理工程において用いられる固体の性質、あるいは、無機不純物の結晶化または沈殿に由来する固体の性質に関連する多孔度の存在によって、窒素不純物、例えば、スフィンゴ脂質またはクロロフィルまたは任意の他の残留窒素化合物の吸着も可能となる。
【００５７】
前記前処理工程ｂ）は、好ましくは、水素の非存在下で行われる。
【００５８】
前処理工程ｂ）は、好ましくは、前処理帯域に加えて、分離帯域を含む。
【００５９】
前記前処理工程ｂ）が分離帯域を含む場合、前処理帯域からの流出物（Ｆ＋εＲＰＰ）（εは０〜１である）は、次いで場合により、ライン（２）を経由して、図１に示される分離帯域Ｂ−０１に導入され、パラフィンリッチな流出物（１−ε）ＲＰＰの分離が行われる。εは、好ましくは０．０１〜０．５である。
【００６０】
前記パラフィンリッチな流出物（１−ε）ＲＰＰ（好ましくは少なくとも９０重量％のパラフィンを含む）は、有利には分離される。前記流出物（１−ε）ＲＰＰは、有利には、図１に示されるケースii）により流れＲＬＣと共に触媒帯域に再注入されるか、あるいは、ケースiii）により前処理帯域の上流にＲＰＰ流との混合物で再循環させられるか、ケースi）により装置を出るパラフィンの流れの方に送り返されるかのいずれかである。
【００６１】
εは、前処理工程ｂ）の終了時に供給原料Ｆを同伴するパラフィン性の流れＲＰＰの割合を表す。
【００６２】
本発明による方法の工程ｃ）によると、パラフィンリッチな流出物の分離工程を経てもよい、前処理帯域（Ｆ＋εＲＰＰ）からの流出物は、反応器中の触媒帯域の数ｎに等しい少なくとも所定数の異なる部分流（Ｆ１＋ε１ＲＰＰ）〜（Ｆｎ＋εｎＲＰＰ）に分けられ、第１の部分流（Ｆ１＋ε１ＲＰＰ）は、第１の触媒帯域に注入され、第２の部分流（Ｆ２＋ε２ＲＰＰ）は、第２の触媒帯域に注入され、ｎが２超である場合、以降も同様の注入が行われる。種々の部分流は、連続する触媒帯域に増加する割合で、Ｆ１／ＦはＦ２／Ｆ以下であり、Ｆ２／Ｆは、Ｆ３／Ｆ以下であり、Ｆ（ｎ−１）／ＦがＦｎ／Ｆ以下となるまで以下同様にされて注入され、これによりパラフィン系炭化水素を含有する流出物が生じる。
【００６３】
前処理帯域から来るトリグリセリドリッチな流出物（Ｆ＋εＲＰＰ）は、ライン（３）を介して、水素リッチなガス（４）と混合される。前記水素リッチなガスはまた、他の不活性炭化水素化合物、すなわち、それ自体と供給原料の構成要素と反応しないものを含有し得る。水素は、有利には、追加の水素、および／または水素化処理工程の下流で採用された分離工程からの水素リッチなガスの再循環から来てもよい。実際、追加された水素は、水蒸気改質から、あるいは、場合により水蒸気改質からの追加の水素および分離工程ｄ）からの軽質ガスを伴う従来の接触改質から来てよく、その水素純度は有利には７５〜９５体積％であり、存在する他のガスは、一般的にメタン、エタン、プロパン、およびブタンである。水素化処理工程の下流で採用される分離工程からの、あるいはまたは、場合による水素化異性化工程の後に採用される分離工程からの水素リッチなガスは、好ましくは、まず、１回以上の中間精製処理を経て、その後に水素化処理および／または水素化異性化方法に再循環させられる。
【００６４】
本発明の１つの特徴によると、用いられる水素は、理論的消費量を超過し、超過の水素は、この理論的消費量の少なくとも５０％、好ましくは７５〜４００％、より好ましくは１００〜３００％を表し、１５０％が典型的な値である。用いられる水素の量は、水素分圧によって制御される。
【００６５】
本発明のより良い理解を提供するために、以下の定義がここに与えられることになる。これらの定義は図１を参照してなされる。反応器は、「ｎ」個の触媒帯域を含む。全ての流れは、重量による流量として表される。
【００６６】
Ｆ０：  本方法で処理される再生可能な供給原料の全流
Ｆ＋εＲＰＰ：  前処理帯域からの流出物
Ｆ１＋ε１ＲＰＰ＋Ｒ１：  第１の触媒帯域Ｚ１に導入される供給原料の部分流および再循環の部分流
Ｆ２＋ε２ＲＰＰ＋Ｒ２：  第２の触媒帯域Ｚ２に導入される供給原料の部分流および再循環の部分流
Ｆ３＋ε３ＲＰＰ＋Ｒ３：  第３の触媒帯域Ｚ３に導入される供給原料の部分流および再循環の部分流、以下同様…
Ｆｎ＋εｎＲＰＰ＋Ｒｎ：  最終触媒帯域Ｚｎに導入される供給原料の部分流および再循環Ｒｎの部分流
Ｒ：  再循環の全流：  分離工程ｄ）からのパラフィン系炭化水素を含有する再循環液体フラクション；Ｒは、流れＲＬＣと流れＲＰＰに分けられる
ＲＬＣ：  触媒帯域への再循環流であって、パラフィン系炭化水素を含有する再循環液体フラクションＲの少なくとも一部によって構成され、少なくとも第１の触媒帯域Ｚ１に再循環させられる；ＲＬＣは、送られる触媒帯域の数に応じて、種々の流れＲ１〜Ｒｎに分けられ得る
ＲＰＰ：  パラフィン系炭化水素を含有する再循環液体フラクションＲの少なくとも一部によって構成される流れであって、前処理帯域の上流に再循環させられる
全再循環率（ＲＴ）は、触媒帯域Ｚ１〜Ｚｎに送られる再循環のパラフィンの全流と、前処理帯域（Ｆ）の通過後に触媒帯域Ｚ１〜Ｚｎに送られる再生可能な供給原料の全流との間の重量比として定義される：
（ケースi）の構成において、（１−ε）ＲＰＰが、水素化異性化セクションの方に戻される場合：
ＲＴ＝（ＲＬＣ＋εＲＰＰ）／Ｆ
（ケースii）および（ケースiii）の構成において、（１−ε）ＲＰＰが、 水素化処理セクションの方に戻される場合：
ＲＴ＝（ＲＬＣ＋ＲＰＰ）／Ｆ＝Ｒ／Ｆ
全再循環率（ＲＴ）は、好ましくは１．０未満、より好ましくは０．５未満であり、前記流れは、重量による流量として表される。
【００６７】
第１の触媒帯域に向かう局所再循環率（ＲＦ１）は、第１の触媒帯域Ｚ１に送られる再循環のパラフィンの流れ、すなわち、（Ｒ１＋ε１ＲＰＰ）と、第１の触媒帯域１に導入される供給原料の部分流（Ｆ１）との間の重量比として定義される：
ＲＦ１＝（Ｒ１＋ε１ＲＰＰ）／Ｆ１
方法の始動段階の間を除いて、前処理帯域のレベルと水素化処理触媒帯域Ｚ１−Ｚｎのレベルに再循環させられる希釈剤は、水素化処理セクションを出る液体炭化水素生成物の一部によって構成される。本明細書の以降において、少なくとも１つの触媒帯域の入口に再循環させられるこの希釈剤は、全再循環流Ｒとも称され、その送達は、上記定義においてＲで示される。本方法の水素化処理セクションは、処理された供給原料を完全に転化させるように設計され、従って、生じた全再循環流Ｒは、酸素を含まない炭化水素の流れであり、このことは、その酸素含有量は、分析検知限界未満であり、実質的にパラフィンから構成されることを意味する。その結果、この全再循環流は、水素化処理反応に対して不活性であり、それ故に、供給原料の希釈剤としてのその役割を果たし、このことは、触媒帯域中の温度上昇が、その中で起こる反応の発熱性の性質によって制限されることを意味する。それにも関わらず、所与の容量について、すなわち、Ｆ０と示される、処理される供給原料の所与の質量流量について、その目的は、ＲＬＣと示される、触媒帯域に注入される液体再循環の量を制限して、前記触媒帯域に供給される流れの全流量を制限することである。このことは、オイルカット、例えば、ガスオイルの水素化処理のための反応器の寸法に匹敵する寸法を有する水素化処理反応器が用いられ得ること（これによりコストが制限される）、圧力降下が制限され得ること、および、反応器のチョーキング現象が回避され得ることを意味する。更に、水素化処理触媒を含む触媒床（単数または複数）の上流で採用される前処理帯域はまた、不活性なパラフィン系炭化水素を含有する液体フラクションＲの少なくとも一部によって構成される流れＲＰＰを用い、パラフィン系炭化水素を含有する液体フラクションＲの一部は、無機不純物が、その沈殿および／または吸着によって除去される現象の加速を可能にする。
【００６８】
供給原料を種々の触媒帯域に注入すること（質量流量（Ｆ１＋Ｒ１＋ε１ＲＰＰ）が帯域Ｚ１に注入され、Ｆ２＋Ｒ２＋ε２ＲＰＰが帯域Ｚ２に注入される等）が有利であり、これにより、増加する割合の供給原料が連続する触媒帯域内に注入されることが確実にされることが発見された。このことは、以下の関係として表され得る：
Ｆ１／ＦはＦ２／Ｆ以下であり、Ｆ２／ＦはＦ３／Ｆ以下であり、以下同様であり、より一般的には、Ｆ（ｎ−１）／ＦはＦｎ／Ｆ以下であり、一般的なケースについて、ｎは、採用される触媒帯域の数である。
【００６９】
種々の連続する触媒帯域における、このような供給原料の分配の利点は、種々の触媒帯域の出口温度が上昇するプロファイルをたどるという事実にあり、このことは、下流の水素化異性化セクションの触媒活性を保持する目的で、前処理工程において除去されない、種々の帯域を出る生成物中の窒素の残量を可能な限り低減させるために、十分な温度が得られ得ることを意味する。
【００７０】
本発明によると、流れＲ１は、第１の触媒帯域Ｚ１の上流に再循環させられ、前記第１の触媒帯域Ｚ１への入口で注入されるパラフィンの流れ（Ｒ１＋ε１ＲＰＰ）と、Ｚ１に導入される供給原料の部分流Ｆ１との間の重量比が１０．０以上であるようにされ、前記流れは質量流として表される。この比は、局所再循環（ＲＦ１）とも称され、上記に規定されている。供給原料および液体再循環の流れをこのように配置して使用することは：
−  第１に、均質な温度が、反応器の全セクションにおける帯域Ｚ１からの出口において得られ得ること；
−  第２に、帯域Ｚ１からの出口において十分な温度が得られ得ること（このことは、水素化脱窒反応が誘発され得、帯域Ｚ１からの出口において、生じた液体炭化水素中の窒素の残留量が、それ故に、低減され得ることを意味する）；
−  より高い温度が、帯域Ｚ１に続く触媒帯域（帯域Ｚ２〜Ｚｎ）からの出口において得られ得ること（この温度は、窒素除去の割合（百分率）を高めるのに十分である）；
ことを意味する。
【００７１】
実際、第１の帯域への大量の局所再循環と結び付けられる、増加する割合で供給原料を導入することは、増加する温度プロファイルを用いることによって、十分に高温の帯域が、触媒帯域の終わりに得られ、これにより、触媒帯域への入口において水素化脱酸素反応を促進するのに十分低い温度を維持しながら水素化脱窒が可能となることを意味する。局所再循環比が１０以上であることは、比較的少量の供給原料が第１の帯域に注入され、これにより、供給原料の残りを、連続する触媒帯域に増加する割合で注入することが可能になることを意味する。連続する帯域に注入される供給原料の量の増加は、入口および出口の温度の増加するプロファイルが、種々の帯域に対して得られ得ることを意味する。
【００７２】
第２の触媒帯域Ｚ２に入る流れは、従って、以下の通りである：
−  帯域Ｚ２の入口において注入される、前処理帯域からの追加パラフィンを有する供給原料の少なくとも一部（Ｆ２＋ε２ＲＰＰ）；重量比Ｆ２／Ｆは重量比Ｆ１／Ｆ超であるようにされる；
−  帯域Ｚ１の入口において注入された再循環液体Ｒ１；殆どパラフィン系炭化水素のみから構成され、帯域Ｚ１を通過する；
−  流れＦ１に相当する、帯域Ｚ１中の供給原料の転化によって形成される流出物；この流出物中に存在する液体炭化水素は、酸素を含まず、殆どパラフィン系炭化水素のみである；
−  場合による再循環液体Ｒ２；殆どパラフィン系炭化水素のみから構成され、触媒帯域への再循環の流れＲＬＣの少なくとも一部によって構成される。
【００７３】
始動段階の間、十分な量のパラフィン系生成物が少なくとも１つの触媒帯域の入口への再循環のために利用可能となるまで、幅広い範囲の炭化水素、例えば、軽質ガスオイルが注入されてもよい。
【００７４】
供給原料は、図１に示されるように、ライン（０）を介して供給され、同時に、水素リッチなガスは、ライン（４）を介して供給される。供給原料は、水素化処理の出口で生じるパラフィンの一部からの再循環流Ｒの一部からのパラフィンの流れＲＰＰとの混合物で前処理帯域に注入される。前処理帯域からの流れＦ＋εＲＰＰは、種々の連続する触媒帯域に供給する、種々の流れＦ１＋ε１ＲＰＰ、Ｆ２＋ε２ＲＰＰ、．．．、Ｆｎ＋εｎＲＰＰに分配される。水素リッチなガス（流れ（４））は、同数の流れＨ１、Ｈ２、．．．、Ｈｎの中に分配される。流れＦ１＋ε１ＲＰＰはガス流（Ｈ１）と混合され、流れＦ２＋ε２ＲＰＰはガス流（Ｈ２）と混合され、ｎ番目の触媒帯域まで以下同様である。
【００７５】
前処理からの出口における流れＦ＋εＲＰＰの温度は、１８０℃未満、好ましくは１２０℃未満、より好ましくは８０℃未満の温度に達するように調節され得る。粘度の十分な低減、およびそれゆえに貯蔵タンクから水素化処理反応セクションへの適切な移動を可能とすることが十分でなければならない。同様に、供給原料と混合される水素リッチなガスの温度は、可及的に低い一方で、本方法の操作に適合可能である。本方法にとって、種々の触媒帯域を出る炭化水素生成物に適用されるクエンチ効果によって温度を低減させるために低温で供給原料を水素と混合することは有利であるからである。実際、水素リッチなガスを圧縮する際に温度が上昇するため、水素は圧縮後頻繁に冷却される。好ましくは水素リッチなガスの温度は、４０〜１００℃の範囲であり、例えば５０℃である。
【００７６】
触媒帯域Ｚ１への入口に注入される流れ、すなわち、前処理帯域からの流出物（Ｆ１＋ε１ＲＰＰ）の温度および再循環液体Ｒ１の温度は、注意深く調節されなければならない。
【００７７】
触媒帯域Ｚ１への入口に注入される前記流れの温度は、好ましくは、最低１８０℃、好ましくは２００℃である。これにより、反応系列を誘発することが可能となる：水の形成をもたらす機構によるか、あるいは、ＣＯ２およびＣＯの形成をもたらす脱炭酸／脱カルボニルの機構による、酸素を除去するための反応だけでなく、前記触媒帯域の少なくとも一部における水素化脱窒反応。この入口温度は、供給原料の性質に応じて調節されてもよい。有利には、帯域Ｚ１からの出口における温度は、２５０℃超である。前記触媒帯域において採用される触媒の体積は、転化、すなわち、酸素の除去の程度が、前記帯域Ｚ１からの出口において完全であるように適合させられる。
【００７８】
触媒帯域Ｚ１からの出口において、供給原料の第２の流れＦ２＋ε２ＲＰＰが加えられ、これは、帯域Ｚ１への入口に注入される供給原料の割合よりもより大きい供給原料の割合を表す。この供給原料の流れは、水素（Ｈ２）リッチなガスの流れ、および場合による液体再循環Ｒ２に加えられ、液体再循環Ｒ２は、分離工程ｄ）からのパラフィン系炭化水素を含有する液体フラクションＲに由来する流れＲＬＣの少なくとも一部によって構成される。混合物は、反応帯域に注入され、そこで、それは帯域Ｚ１からの流出物と混合される。このことにより、帯域Ｚ１の出口で形成される生成物の温度を低減させることが可能になり、従って、帯域Ｚ２への入口における温度は、一般的に、帯域Ｚ１への入口における温度より高い。同じカテゴリーの反応が、帯域Ｚ２および帯域Ｚ１内で起こり、反応速度は、帯域Ｚ２において、より高い平均温度であるため、僅かにより早い。
【００７９】
同様の原則が、連続する触媒帯域において適用され、前処理された供給原料の流れ（Ｆｎ＋εｎＲＰＰ）および場合による再循環の流れＲｎは、先行する触媒帯域において形成された、完全に転化させられた生成物に加えられる。
【００８０】
触媒帯域内で供給原料がパラフィン系炭化水素に転換される時、水素化および脱酸素の反応が非常に発熱性の高い反応であるため、帯域内の温度は上昇する。それ故に、温度は、触媒帯域の出口に向かって十分高温であり、水素化脱窒反応を行うことが可能である。少なくとも１つの触媒帯域の出口における温度は、好ましくは３００℃超、より好ましくは３２０℃超である。
【００８１】
前記流れ（Ｆ１），．．．，（Ｆｎ）のそれぞれに加えられる水素流と、供給原料質量流量（Ｆ１），．．．，（Ｆｎ）との間の比は、一連の触媒帯域について同じオーダーの大きさであり、水素の流量と供給原料の流量との間の比は、３００〜１５００Ｎｍ３／ｍ３、好ましくは６００〜９００Ｎｍ３／ｍ３である。
【００８２】
場合によっては、供給原料を更に希釈する必要があると思われる場合、触媒帯域間に補完の液体流を注入することが可能である。
【００８３】
好ましい変形例において、供給原料および水素の部分流を調節するための弁が、触媒帯域の入口および出口における温度によって制御され、これにより供給原料の部分流および水素流並びに液体再循環流Ｒ１〜Ｒｎを操作中に調節するようにしてもよい。この方法で、触媒帯域への入口および触媒帯域内における所望の温度が維持される。同様に、温度は、前処理の後の供給原料（Ｆ＋εＲＰＰ）および／または注入される水素および／または反応器システム中の再循環の温度を変動させることによって制御されてもよい。
【００８４】
本発明による方法のための水素化処理反応器は、可変数ｎの触媒帯域を含んでもよい。好ましくは、ｎは、３〜１０、好ましくは３〜６である。用語「触媒帯域」は、触媒床を意味する。各触媒帯域は、１つ以上の触媒の層を含んでもよく、同一であっても異なってもよく、場合により不活性な相によって補足されてもよい。触媒帯域は、同一または異なる触媒を含んでいてもよい。
【００８５】
本方法の水素化処理セクションにおいて用いられる触媒のタイプは、当該技術分野において周知である。
【００８６】
硫化物の形態の活性な触媒、および、一般的に制限された硫黄含有量（一般に１００重量ｐｐｍ未満、通常５０重量ｐｐｍ未満）を有する処理された未精製の供給原料に関し、硫黄含有化合物、例えば、ジメチルジスルフィド（dimethyldisulphide：ＤＭＤＳ）を、一式の供給原料流に加えることは十分である；水素化処理セクションにおける温度条件下、それは、Ｈ２Ｓおよびメタンへと分解する。このデバイスは、本方法において用いられる水素化処理触媒がそれらの硫化物の形態で維持され、それ故に、サイクルにわたって十分な触媒活性が維持され得ることを意味する。推奨される注入ＤＭＤＳ含有量は、供給原料に対して硫黄当量１０〜５０重量ｐｐｍの範囲である。実際、供給原料に対して硫黄当量５０重量ｐｐｍに相当するＤＭＤＳを加えることは、サイクルを通して触媒活性を保持するのに十分である。
【００８７】
本発明による方法の水素化処理セクションにおいて用いられる触媒は、下記の触媒に関連するものであってよい。
【００８８】
水素化処理触媒は、元素周期律表の第６、８、９、および１０族からの１種以上の元素、好ましくは、ニッケル、モリブデン、タングステン、および／またはコバルトを含む硫化触媒である。
【００８９】
水素化処理触媒（好ましくは固定床において用いられる）は、有利には、単独でまたは混合物として用いられる、第VIII族および／または第VIB族からの少なくとも１種の金属を含む水素化脱水素機能と、アルミナ、シリカ、シリカ−アルミナ、マグネシア、粘土、およびこれら鉱物の少なくとも２種の混合物によって形成される群から選択される担体とを含む水素化処理触媒である。前記担体はまた、有利には、他の化合物、例えば、酸化ホウ素、ジルコニア、酸化チタン、および無水リン酸から形成される群から選択される酸化物を含んでもよい。好ましい担体は、アルミナ担体であり、非常に好ましくはη、δ、またはγアルミナである。
【００９０】
前記触媒は、有利には、第VIII族からの金属を含む触媒であり、この第VIII族からの金属は、好ましくは、ニッケルおよびコバルトから選択され、単独でまたは混合物として用いてられ、好ましくは、第VIB族からの少なくとも１種の金属と関連し、この第VIB族金属は、好ましくは、モリブデンおよびタングステンから選択され、単独でまたは混合物として用いられる。好ましくは、ＮｉＭｏタイプの触媒が用いられる。
【００９１】
第VIII族からの金属の酸化物、好ましくはニッケル酸化物の量は、有利には酸化ニッケル（ＮｉＯ）の重量で０．５〜１０％、好ましくは１〜５重量％であり、第VIB族からの金属の酸化物、好ましくは三酸化モリブデンの量は、有利には酸化モリブデン（ＭｏＯ３）の重量で１〜３０％、好ましくは５〜２５重量％であり、百分率は、全触媒質量に対する重量％として表される。
【００９２】
用いられる触媒中の第VIB族および第VIII族からの金属の酸化物の全量は、全触媒質量に対して、有利には５〜４０重量％、好ましくは６〜３０重量％である。
【００９３】
金属酸化物として表される、第VIB族からの金属（単数または複数）の第VIII族からの金属（単数または複数）に対する重量比は、有利には２０〜１、好ましくは１０〜２である。
【００９４】
本発明による方法の水素化処理工程において用いられる前記触媒は、有利には、脂肪鎖の炭素原子の数を維持する水素化、すなわち、水素化脱酸素経路の方にできるだけ反応の選択性を方向づけて、ガスオイルおよび／またはケロセンの蒸留範囲内の炭化水素の収率を最大にするために強い水素化力によって特徴付けられなければならない。この理由から、比較的低い温度で操作することが好ましい。水素化機能を最大にすることはまた、触媒性能の安定性を劣化させることになるであろう、コークスの形成に至るポリマー化および／または縮合反応が制限されることを意味する。
【００９５】
本発明による方法の水素化処理工程において用いられる前記触媒は、有利には、リンおよびホウ素から選択されるドーピング元素を含有してもよく、これらは、単独でまたは混合物として用いられる。前記ドーピング元素は、マトリクス中に導入されてもよく、または、好ましくは、担体上に沈着させられてもよい。ケイ素を、単独で、あるいは、リンおよび／またはホウ素および／またはフッ素と共に、担体上に沈着させることも可能である。
【００９６】
前記ドーピング元素の酸化物の重量による量は、有利には２０％未満、好ましくは１０％未満であり、それは、有利には、全触媒質量に対して少なくとも０．００１％である。
【００９７】
好ましい変形例において、用いられる触媒は、特許出願FR 2 943 071に記載されたようなものであり、該特許出願において、水素化脱酸素反応に対して高い選択性を有する触媒が記載されている。
【００９８】
別の好ましい変形例によると、特許出願EP 2 210 663に記載されたような触媒の使用がなされており、該特許出願において、第VIB族の硫化物からなる活性相を含む担持型またはバルクの触媒が扱われており、ここで第VIB族元素はモリブデンである。
【００９９】
本発明の背景は、本発明による方法の水素化処理工程において、同時にあるいは連続して、単一の触媒または複数の異なる触媒を触媒帯域において使用することも包含する。
【０１００】
本発明に関連して、従って、再生可能な資源を起源とする供給原料の全体的な転化率、すなわち、水素化脱酸素と脱炭酸／脱カルボニルによる転化率とを一緒に維持することは可能であり、転化率は有利には９０％以上である；好ましくは、供給原料の全体的な転化率は、１００％に等しく、同時に、水素化脱酸素生成物の収率または水素化脱酸素による転化率を最大にし、該転化率は、本発明によると、５０％以上で留まる。
【０１０１】
（上記のような）ＨＤＯに対して高い選択性を有する触媒が用いられる場合、水素化脱酸素による転化率は、９０％以上、好ましくは９５％以上、より好ましくは９６％以上である。この場合、再生可能な資源からの供給原料からの脱炭酸／脱カルボニルによる転化率または分解／脱カルボニル生成物収率は、有利には最大１０％、好ましくは最大５％、より好ましくは最大４％に制限される。
【０１０２】
水素化脱酸素反応により、水素の消費によって水が形成され、初期の脂肪酸鎖と同数の炭素原子を有する炭化水素が形成されるに至る。水素化脱酸素反応からの流出物は、偶数の炭化水素、例えばＣ１４〜Ｃ２４の炭化水素を含み、奇数の炭化水素、例えば脱炭酸／脱カルボニル反応によって得られるＣ１５〜Ｃ２３と比較して、大部分において幅広い。水素化脱酸素経路に対する選択性は、燃料に品質向上され得る液体フラクション中の、偶数の炭素原子を含有する炭化水素の全収率と、奇数の炭素原子を含有する炭化水素の全収率とを測定することによって示される。反応選択性（ＨＤＯ／脱炭酸／脱カルボニル）へのアクセスを提供する、偶数および奇数の炭化水素の収率は、燃料に品質向上され得る、反応からの液体流出物のガスクロマトグラフィー分析によって得られる。ガスクロマトグラフィー分析技術は、当業者に公知の方法である。
【０１０３】
特に断りのない限り、本発明による水素化処理方法は、当該技術分野において一般的に知られている、例えば、特許EP 1 741 768に記載されたような水素化処理条件下で操作される。全圧は、有利には２〜１５ＭＰａ、好ましくは５〜１０ＭＰａである。
【０１０４】
本発明によると、水素は過剰に用いられる。本発明による方法において、水素の流量と、未精製の供給原料の流量との間の比は、有利には３００〜１５００Ｎｍ３／ｍ３の範囲、好ましくは６００〜９００Ｎｍ３／ｍ３の範囲である。
【０１０５】
本発明による方法の満足な操作によって、全体的なＨＳＶ（処理される未精製の供給原料の全体積流量と、水素化処理セクション中の触媒の全体積との間の比として定義される）が、有利には０．１〜５．０ｈ−１、好ましくは０．１〜１．５ｈ−１が結果として得られる。
【０１０６】
水素化処理セクションの種々の帯域において使用される温度は、可能な限り、不所望の反応、例えば：
−  供給原料のポリマー化反応（これにより、コークスの沈着、および、それ故に、触媒の失活に至る）；
−  脱炭酸／脱カルボニル反応（これにより、中間留分収率の喪失に至る）；
を回避し、同時に、
酸素含有化合物の除去および窒素含有化合物の除去の両方に関して、供給原料の全転化を行うために、注意深く制御されなければならない。一般に、本発明による方法は、２００〜４００℃の温度で作動する。第１の触媒帯域への大幅な再循環と結び付けられる、増加する割合で供給原料を導入することは、増加する温度プロファイルが、帯域への入口においてさらには帯域からの出口とにおいて得られ得ることを意味する。
【０１０７】
帯域Ｚ１への入口における温度は、好ましくは、１８０℃超、好ましくは２００℃超でなければならない。あとに続く触媒帯域への入口における温度は、先行する帯域への入口における温度より高くなければならず、一般的には３００℃未満、好ましくは２８０℃未満である。
【０１０８】
少なくとも１つの触媒帯域からの出口における温度は、好ましくは、３００℃超、好ましくは３２０℃超である。各触媒帯域からの出口における温度は、コーキングによる触媒の失活を制限するために、好ましくは４００℃未満、より好ましくは３８０℃未満でなければならない。
【０１０９】
本発明による方法は、当業者に公知の固定トリックルベッド（trickle bed）反応器を用いる。試剤（供給原料および水素）は、反応器の頂部から底部への下降並流の流れとして反応器に導入される。そのような反応器の例は、文献ＵＳ特許No.7,070,745に記載されている。
【０１１０】
各触媒帯域の間で、クエンチ効果から利益を得、かつ、次の触媒帯域への入口において所望の温度を得るために、補充水素を注入することが可能である。従って、反応器のセクション全体にわたって、かつ、全ての触媒帯域において、最適温度の均質性を確実なものとするために、各触媒帯域の間に、クエンチボックスが取り付けられてもよい。
【０１１１】
同様に、反応器のセクション全体にわたって、かつ全ての触媒帯域において、液体供給原料の均質な供給を保証するために分配器が各触媒帯域の間に取り付けられてもよい。
【０１１２】
本発明による方法の利点の１つは、供給原料の起源に応じたその高い柔軟性にある。異なる供給原料、特に炭化水素鎖の不飽和の種々の程度において異なる供給原料は、酸素の除去（これにより、次の帯域における未精製の供給原料の希釈の最大の効率に至る）および窒素の除去（これにより、下流の水素化異性化工程の、より良い機能に至る）の両方に関し、完全に転化させられてもよい。
【０１１３】
場合により、本発明による方法はまた、オイルカット、例えば、ガスオイル、ケロセン、さらには、油精製方法からのガソリンと混合された再生可能な資源からの供給原料を転化させてもよい。好ましくは、オイルカットは、直留ガスオイルおよび／またはケロセン、転化方法からのガスオイルおよび／またはケロセン、あるいはそれらの任意の混合物から形成される群から選択される中間留分タイプの油供給原料である。
【０１１４】
好ましくは、オイルカットは、直留常圧ガスオイル、転化方法からのガスオイル、例えば、コーキングに由来するようなもの、例えば、固定床水素化転化に由来するもの（例えば、重質供給原料を扱い、本出願人によって開発されたHYVAHL（登録商標）方法に由来するもの）または重質供給原料についての沸騰床水素化処理方法に由来するもの（例えば、H-OIL（登録商標）方法に由来するようなもの）、または脱アスファルト直留真空蒸留残渣からの溶媒脱アスファルト油（例えば、プロパン、ブタンまたはペンタンを用いる）または重質供給原料方法、例えば、HYVAHL（登録商標）またはH-OIL（登録商標）に由来する残渣によって形成される群から選択される。供給原料はまた、有利には、これらの種々のフラクションを混合することによって形成されてもよい。供給原料はまた、有利には、蒸留プロファイルが約１００℃〜約３７０℃である、軽質ガスオイルまたはケロセンの留分を含有していてもよい。それらはまた、有利には、潤滑油の製造に関連して得られる芳香族抽出物およびパラフィンを含有してもよい。
【０１１５】
この場合、水素化処理セクションの第１の触媒帯域に送られる液体再循環の量は、大幅に低減させられるか、さらにはなしですまされてもよい。なぜなら、油供給原料のこれらの流れが、水素を用いるそれらの処理に由来し、相当の量の酸素を含む、再生可能な起源の供給原料が用いられる場合より放出される熱が少ないからである。
【０１１６】
（分離）
本発明による方法の工程ｄ）によると、工程ｃ）の最終触媒帯域からのパラフィン系炭化水素を含有する流出物は、少なくとも１回の分離工程に付され、この分離工程によって、少なくとも１つのガスフラクションと、パラフィン系炭化水素を含有する少なくとも１つの液体フラクションの分離が可能となる。ガスフラクションは、水素、ＣＯ、ＣＯ２、Ｈ２Ｓおよび軽質ガスを含有する。
【０１１７】
工程ｃ）の最終触媒帯域からのパラフィン系炭化水素を含有する前記流出物は、ライン（５）において抜き出される。
【０１１８】
第１の実施形態によると、分離工程ｄ）は、１４５〜２８０℃の温度で圧力低減を伴わず作動する高温高圧分離器（Ｓ）によって、単一の工程において行われ得る。
【０１１９】
第２の実施形態（図１に示されない）によると、分離工程ｄ）は、圧力低減を伴わない、二工程での分離を含み、第１の分離は、高温分離器中、１４５〜２８０℃で行われ、第２の分離は、図示されない低温分離器中、２５〜１００℃で行われる。好ましい実施形態において、第２の分離工程から得られるフラクションの凝縮物は、図示されない脱ガス容器に導入される。
【０１２０】
好ましくは、気／液分離工程ｄ）からのパラフィン系炭化水素を含有する前記液体フラクションは、次いで、水素化脱酸素反応の間に形成された残りの水の少なくとも一部、好ましくは全ての分離を経る（図示されない）。
【０１２１】
この工程の目的は、パラフィン系炭化水素を含有する液体から水を分離することである。用語「水の除去」は、水素化脱酸素（ＨＤＯ）反応によって生じた水の除去を意味する。多かれ少なかれの完全な水の除去は、本発明による方法の任意の次の工程において用いられる水素化異性化触媒の水に対する耐久性次第である。水は、当業者に公知の任意の方法および技術を用いて、例えば、乾燥、乾燥剤を通過させること、フラッシュ、溶媒抽出、蒸留、またはデカンテーションによって、あるいは、これらの方法の少なくとも２つを組み合わせることによって、除去されてもよい。
【０１２２】
場合によっては、種々の汚染物質の精製のための最終工程は、当業者に公知の方法を用いて、例えば、水蒸気ストリッピングまたは窒素ストリッピングまたはコアレッセンス（coalescence）によって、および／または、質量捕捉（capture mass）を用いて行われてよい。
【０１２３】
本発明による方法の工程ｅ）によると、パラフィン系炭化水素を含有する前記液体フラクションの少なくとも一部Ｒは、少なくとも１つの流れＲＬＣと、上流の工程ａ）で全供給原料流Ｆ０と混合される前記再循環流ＲＰＰとに分けられ、前記流れＲＬＣは、少なくとも所定数の、反応器中の触媒帯域の数ｎ以下の異なる部分流Ｒ１〜Ｒｎに分けられ、前記流れＲ１〜Ｒｎは、触媒帯域１〜ｎの上流に再循環させられ、第１の触媒帯域に送られるパラフィン系炭化水素の流れ（Ｒ１＋ε１ＲＰＰ）と、第１の触媒帯域に導入される供給原料の部分流Ｆ１との間の重量比が１０以上であるようにされる。
【０１２４】
本発明による方法の工程ａ）に導入される流れＲＰＰの、全再循環流Ｒに対する割合は、質量流の比ＲＰＰ／Ｒが、有利には０．１〜０．９、好ましくは０．１５〜０．８であるようにされる。
【０１２５】
分離工程ｄ）からのパラフィン系炭化水素を含有する液体フラクションの少なくとも別の部分は、有利には再循環させられない。
【０１２６】
少なくとも１つの触媒帯域、あるいは、前処理工程の上流の全新鮮供給原料Ｆ０の流れとの混合物に再循環させられない、分離工程ｄ）からのパラフィン系炭化水素を含有する液体フラクションの部分は、ガスオイルプールか、あるいは、任意の水素化異性化（ＨＩＳ）セクション（６）のいずれかに直接送られ、これにより、高品質のケロセンおよび／またはガスオイルのベース、特に、良好な冷温特性（cold properties）を有するケロセンベースが製造される。実際、本発明による方法の分離工程ｄ）からのパラフィン系炭化水素を含有する液体フラクションの前記再循環させられない部分は、水素化異性化セクションの触媒活性を維持するために、十分に脱窒素される。水素化処理と水素化異性化の間の水素化脱窒反応器は、不必要である。
【０１２７】
（水素化異性化）
好ましい実施形態によると、分離工程ｄ）からのパラフィン系炭化水素を含有し、かつ、再循環させられない液体フラクションの少なくとも一部は、水素化異性化触媒の存在下で水素化異性化させられる。任意の水素化異性化工程は、有利には、操作条件下、当業者に公知の水素化異性化触媒の存在下で実施される。前記水素化異性化工程において用いられる操作条件および触媒は、好ましくは、FR 2 943 071に記載されたものである。
【０１２８】
水素化異性化された流出物は、次いで、有利には、少なくとも部分的に、好ましくは完全に、１回以上の分離を経る。
【０１２９】
前記分離工程（単数または複数）は、有利には、液体からガスを分離するフラッシュ分離および／または常圧蒸留を含み得る。好ましくは、分離工程（単数または複数）は常圧蒸留を含む。この工程の目的は、液体からガスを分離すること、特に、軽質化合物、例えば、Ｃ１−Ｃ４留分、ガソリン留分（１５０℃−）、およびケロセンおよび／またはガスオイルを含有する少なくとも１種の中間留分（１５０℃＋）も含有してもよい水素リッチなガスを回収することである。
【０１３０】
ガソリン（または、ナフサ）留分を品質向上させることは、本発明の目的ではないが、この留分は、有利には、水素製造のための、あるいは、触媒改質のための水蒸気分解装置に送られてもよい。これにより生じた水素は、水素化処理および／または任意の水素化異性化工程に注入されてもよい。
【０１３１】
所望の燃料ベースを表す、中間蒸留物留分は、ガスオイルおよびケロセンを含有する留分を含んでよく、あるいは、２つの留分は別個に回収されてもよい。これらの生成物は、再生可能な資源をベースとし、硫黄含有化合物を含有しない。
【０１３２】
中間蒸留物留分（単数または複数）の少なくとも一部は、有利には、水素化処理工程に再循環させられてもよい。
【０１３３】
１つの変形例において、１５０℃＋留分の少なくとも一部は、水素化異性化工程に再循環させられてもよい。このフラクションは、従って、もう一度異性化を経、このことは、前記フラクションの冷温特性が向上させられ得ることを意味する。
【０１３４】
別の変形例において、３００℃＋フラクションの少なくとも一部は、水素化異性化工程において再循環させられてもよい。従って、このフラクションは、もう一度異性化を経、このことは、この留分がより軽質の生成物に品質向上させられ得、冷温特性が向上させられ得ることを意味する。
【０１３５】
別の変形例において、１５０℃＋留分の少なくとも一部は、水素化処理工程に再循環させられてもよい。
【０１３６】
本発明による方法の分離工程ｄ）および／または任意の水素化異性化工程の期間に分離された水素含有ガスは、必要な場合、有利には、少なくとも一部、その軽質化合物含有量（Ｃ１〜Ｃ４）を低減させるように処理される。同様に、それは、有利には、１回以上の中間の精製処理、好ましくは少なくとも１種のアミンを用いる少なくとも１回の洗浄を経た後、好ましくは、メタネーションおよび／または圧力スウィング吸着（pressure swing adsorption：ＰＳＡ）による分離が行われ、その後に再循環させられる。
【０１３７】
有利には、再循環水素（好ましくは精製されたもの）は、本発明による水素化脱酸素工程および／または任意の水素化異性化工程に入る供給原料と共にか、あるいは、本発明による水素化脱酸素触媒の床および／または水素化異性化触媒の床の間のクエンチ水素の形態でかのいずれかで、導入されてもよい。
【０１３８】
再循環ガスに所定量の硫黄含有化合物（例えば、ＤＭＤＳ（ジメチルジスルフィド））を補足することも有利であり、これにより、熱分解の際に、硫化水素（Ｈ２Ｓ）が生じる。このデバイスは、必要な場合、硫化条件において、水素化処理工程および／または任意の水素化異性化工程（活性触媒が硫化物の形態である場合）の触媒を維持するために、用いられ得る。
【０１３９】
（実施例１（本発明に合致しない））
実施例１において、前処理工程は行われなかった。
【０１４０】
処理されるべき供給原料は、一部精製されたジャトロファ油であり、その特徴を表１ａに示す。
【０１４１】
【表１ａ】
0006014460.tif 000002
【０１４２】
この供給原料１００ｇ／ｈ（Ｆ＝Ｆｏ）を、事前の前処理工程なしで、３つの触媒床で構成された水素化処理反応器中で処理することとした。
【０１４３】
各触媒帯域は、１つの触媒床によって構成されていた。用いた触媒は、水素化処理工程の３つの触媒帯域において同一であり、４重量％のＮｉＯ、２１重量％のＭｏＯ３、および５重量％のＰ２Ｏ５をガンマアルミナ上に担持させられて含んでいた。前記触媒のＮｉ／Ｍｏ原子比は０．４であった。
【０１４４】
担持触媒を、溶液中の酸化物前駆体の乾式含浸によって調製し、次いで、試験の前に現場で（in situ）、３５０℃の温度で、ジメチルジスルフィド（ＤＭＤＳ）からの硫黄２重量％を補足された直留ガスオイル供給原料を用いて硫化した。圧力下の装置における現場硫化の後、表１ａに記載されたナタネ油によって構成された再生可能な資源からの供給原料を、３つの触媒帯域のそれぞれに送った。
【０１４５】
触媒を硫化状態に維持するために、ＤＭＤＳの形態の硫黄５０重量ｐｐｍを供給原料に添加した。反応条件下、ＤＭＤＳは完全に分解し、メタンとＨ２Ｓを形成した。
【０１４６】
用いられかつ精製されていない供給原料と共に帯域Ｚ１に注入された再循環液体の量は、１００ｇ／ｈ（Ｒ）であり、この結果、全質量再循環比１．０が得られた。この再循環の全体を、第１の触媒帯域Ｚ１（Ｒ１＝ＲおよびＲ２＝Ｒ３＝０）に送った。
【０１４７】
全操作圧力は、５相対ＭＰａであった。高純度の水素を、各触媒帯域への入口における、Ｈ２／未精製の供給原料比が７００Ｎｍ３／ｍ３であるようにした流れの比で、供給原料の流れのそれぞれと混合した。
【０１４８】
表１ｂは、３つの供給原料流のそれぞれについての流量、並びに、３つの触媒帯域のそれぞれについての希釈剤／供給原料比を示す。
【０１４９】
【表１ｂ】
0006014460.tif 000003
【０１５０】
実験は、この場合、液体再循環を第１の水素化処理触媒帯域Ｚ１の入口に送ることによって、前処理工程なしで行われた。生じた炭化水素は、水素化処理セクションを出る際に、相当な窒素含有量（５重量ｐｐｍ）を有していた。
【０１５１】
表１ｃは、水素化処理反応器中の圧力損失についての経時変化を示す。
【０１５２】
【表１ｃ】
0006014460.tif 000004
【０１５３】
圧力損失の測定は、床の入口と出口に配置された２つの計器の圧力表示における差異によって行った。
【０１５４】
水素化処理反応器において測定された圧力損失は、試験中継続的に増加し、それは８００時間後、１０相対バールの値を超えるに至り、この時点で試験を中断せざるを得なかった。圧力損失のこの増加は、反応器中の、リン脂質の分解からの金属沈着物の蓄積によるものであった。工業規模の装置では、この現象は、水素化処理反応器のより低いサイクルタイムにつながるであろう。
【０１５５】
次いで、事前に生じていた液体炭化水素を、ＮｉＷ／ＳｉＯ２Ａｌ２Ｏ３を含む水素化異性化触媒１００ｃｍ３を含有する反応器中に注入した。
【０１５６】
炭化水素を、１００ｃｍ３／ｇの体積流量で、あるいは、１．０ｈ−１の水素化異性化セクション中のＨＳＶで注入した。
【０１５７】
水素化異性化工程を触媒固定床上で行った。その際、５相対ＭＰａの圧力、３３０℃の温度、高純度水素の送達を用い、水素の体積流量と液体炭化水素の体積流量との間の比が７００Ｎｍ３／ｍ３になるようにした。ガス出口（Ｃ４−）において、ナフサ留分（Ｃ５−１５０℃）とケロセン留分（１５０℃＋）とを得た。表１ｄは、このケロセン留分の特徴を示す。このケロセン留分は、常圧蒸留終留点Ｄ８６（終留点＞３００℃）、あるいは、凝固点（最大−４０℃での特定された値に対して−５℃）の観点で、ASTM D7566の規格を満たさない。
【０１５８】
【表１ｄ】
0006014460.tif 000005
【０１５９】
（実施例２（本発明に合致する））
前の実施例と同様の供給原料である半精製のジャトロファ油を、同一の供給原料流：Ｆｏ＝Ｆ＝１００ｇ／ｈで処理した。触媒およびその調製は実施例１と同一であった。
【０１６０】
用いた液体再循環Ｒの量は、１００ｇ／ｈであった。この再循環を、分離工程ｄ）からのパラフィン系炭化水素を含有する流れＲＬＣと、２０ｇ／ｈの流れＲＰＰとに分けた。流れＲＬＣの全体を、第１の触媒帯域Ｚ１に送り、その流量は８０ｇ／ｈであった。流れＲＰＰを、ナタネ油の供給原料流Ｆ０と混合した。比ＲＰＰ／Ｆ０は、従って０．２であった。
【０１６１】
ジャトロファ油を、混合器中でＲＰＰ流と混合し、混合物を１８０℃の温度まで加熱した。この混合物を前処理帯域に導入し、この中で、前記混合物が、空隙率が０．４６であり、径が３〜６ｍｍである球状アルミナの固定床７０ｃｍ３の中を流れた。アルミナは、マクロ孔容積（水銀圧入によって測定される）、すなわち、細孔の平均径が５００Åである容積を有し、これは０．３５ｍＬ／ｇに等しく、全細孔容積は、１．２ｍＬ／ｇであり、ＳＢＥＴで表される比表面積は１４０ｍ２／ｇであった。
【０１６２】
この前処理工程の終了時に、前処理されたオイルの流れＦとパラフィン系炭化水素を含有する流れＲＰＰの完全な分離を行った。従って、ε＝０であった。この流れＲＰＰを、方法のフローシートの構成（ii）に従って、第１の触媒帯域に送られる再循環流ＲＬＣと混合した。
【０１６３】
前処理の終了時に、オイル流Ｆの確認された特徴は、表２ａに示されたようなものであった。
【０１６４】
【表２ａ】
0006014460.tif 000006
【０１６５】
前処理によって、リンと油中に存在する主要な元素（カルシウム、マグネシウム、およびナトリウム）の同時の除去が可能となった。この工程によって、出発油の窒素含有量の大幅な低減も可能となった。これは、所定の窒素化合物の除去によるものであった（初期の２９ｐｐｍのかわりに１３ｐｐｍ）。
【０１６６】
水素化処理セクションの操作条件は、実施例１で用いたものと同一であった。
【０１６７】
全質量再循環比ＲＴ＝（ＲＬＣ＋ＲＰＰ）／Ｆ＝Ｒ／Ｆ（構成（ii））は、実施例１と同一であり、１．０に等しかった。
【０１６８】
種々の接触水素化処理帯域にわたる供給原料の分布は、実施例１で採用されたものと同一であった。表２ｂは、種々の流量、特に、接触水素化処理帯域に供給する３つの流れのそれぞれの流量、および、３つの触媒帯域のそれぞれについての希釈剤／供給原料比を示す。
【０１６９】
【表２ｂ】
0006014460.tif 000007
【０１７０】
実施例１と比較して、前処理セクションによって、水素化処理セクションに供給するオイル流の窒素含有量の非常に大幅な降下が可能となり、また、酸素および窒素を含まない（窒素含有量は、検出限界未満、または０．３重量ｐｐｍ未満である）炭化水素の流れを出口において得ることが可能となった。
【０１７１】
表２ｃは、水素化処理セクションにおける圧力損失の経時変化を示す。
【０１７２】
【表２ｃ】
0006014460.tif 000008
【０１７３】
圧力損失の測定は、実施例１と同じ方法で行った。
【０１７４】
８００時間の間に水素化処理試験が行われ、その期間に、反応器における圧力損失の大幅な増加は観察されなかった。これは、反応器に供給するオイルの流れが、金属を含まず、これにより、固体金属沈着物の蓄積を通じた反応器の進行性の閉塞が除去されるという事実によるものであった。
【０１７５】
この炭化水素を、次いで、水素化異性化反応器中で、実施例１に記載したものと厳密に同一の操作条件下で処理した。ガス出口（Ｃ４−）において、ナフサ留分（Ｃ５−１５０℃）およびケロセン留分（１５０℃＋）を、次いで、得た。
【０１７６】
表２ｄは、これらの条件下で生じたケロセン留分の特徴を示す。
【０１７７】
【表２ｄ】
0006014460.tif 000009
【０１７８】
本発明に従って生じたケロセン留分の凝固点が、最大−４０℃の凝固点を要求するASTM D7566の規格を満たすことが理解され得る。
【図面の簡単な説明】
【０１７９】
【図１】本発明の方法を説明するフローシートである。
【図１】
0006014460.tif 000010